(57)【特許請求の範囲】
【請求項１】
前面側のフロントキャビネット及び背面側のバックキャビネットの間に液晶パネルモジュールが配置されており、
該液晶パネルモジュールは前面側から背面側に向かって順に積層された液晶パネル、光学シート及び導光板を有し、
光源から前記導光板に光を入射し、該導光板から前記光学シートに光を出射することにより、前記フロントキャビネットに設けられた開口から覗く前記液晶パネルの画面に画像を表示する液晶表示装置において、
前記フロントキャビネットの背面における開口周りに形成してある複数の第一リブと、
前記フロントキャビネットの背面における前記第一リブよりも前記開口から遠い位置に、該開口周りに形成してある複数の第二リブと
を備え、
前記第一リブは前記液晶パネル及び光学シートの合計厚よりも大きい高さを有し、かつ先端面が前記導光板の前面周縁部と当接するようにしてあり、
前記第二リブは前記液晶パネル、光学シート及び導光板の合計厚よりも大きい高さを有し、
前記導光板は前記第二リブで囲まれた範囲に収納されるようにしてある
ことを特徴とする液晶表示装置。
【請求項２】
前記導光板の広さは前記光学シートよりも広く、
前記光学シートの広さは前記液晶パネルと同一又はより広い
ことを特徴とする請求項１に記載の液晶表示装置。
【請求項３】
前記液晶パネルは前記第一リブで囲まれた範囲に収納されるようにしてある
ことを特徴とする請求項１又は２に記載の液晶表示装置。
【請求項４】
前記光学シートは前記第一リブ又は第二リブで囲まれた範囲に収納されるようにしてある
ことを特徴とする請求項１又は請求項２に記載の液晶表示装置。
【請求項５】
請求項１から請求項４までのいずれか一項に記載の液晶表示装置と、
テレビ放送を受信する受信部と
を備え、
前記液晶パネルモジュールは前記受信部が受信したテレビ放送に係る画像を前記液晶パネルの画面に表示するようにしてある
ことを特徴とする液晶テレビ。
【発明の詳細な説明】
【技術分野】
【０００１】
本発明は、液晶パネルモジュールを備える液晶表示装置及び液晶テレビに関する。
【背景技術】
【０００２】
エッジライト方式の液晶パネルモジュールを構成する液晶パネル、光学シート、導光板等の各部品は、枠状のベゼルにより固定される。特許文献１には、ベゼルを排除し、フロントキャビネットの内面に設けた階段状のリブで上記各部品の位置決めを行うことにより、部品点数を少なくする液晶表示装置が開示されている。位置決めされた各部品は、ねじにより前後に押圧され、固定される。
【先行技術文献】
【特許文献】
【０００３】
【特許文献１】特開平１１−３３７９３７号公報
【発明の概要】
【発明が解決しようとする課題】
【０００４】
しかしながら、特許文献１における液晶表示装置においては、光を拡散する光学シートを液晶パネルと導光板とで挟圧する場合があり、挟圧された光学シートが変形を被ったとき、当該光学シートは変形する。そのため、光源からの光が十分拡散されず、画面に輝度ムラが生じる。
【０００５】
本発明は斯かる事情に鑑みてなされたものである。その目的は、光学シートに変形を生じさせない液晶表示装置及び液晶テレビを提供することにある。
【課題を解決するための手段】
【０００６】
本願に係る液晶表示装置は、前面側のフロントキャビネット及び背面側のバックキャビネットの間に液晶パネルモジュールが配置されており、該液晶パネルモジュールは前面側から背面側に向かって順に積層された液晶パネル、光学シート及び導光板を有し、光源から前記導光板に光を入射し、該導光板から前記光学シートに光を出射することにより、前記フロントキャビネットに設けられた開口から覗く前記液晶パネルの画面に画像を表示する液晶表示装置において、前記フロントキャビネットの背面における開口周りに形成してある複数の第一リブと、前記フロントキャビネットの背面における前記第一リブよりも前記開口から遠い位置に、該開口周りに形成してある複数の第二リブとを備え、前記第一リブは前記液晶パネル及び光学シートの合計厚よりも大きい高さを有し、かつ先端面が前記導光板の前面周縁部と当接するようにしてあり、前記第二リブは前記液晶パネル、光学シート及び導光板の合計厚よりも大きい高さを有し、前記導光板は前記第二リブで囲まれた範囲に収納されるようにしてあることを特徴とする。
【０００７】
本願に係る液晶表示装置は、前記導光板の広さは前記光学シートよりも広く、前記光学シートの広さは前記液晶パネルと同一又はより広いことを特徴とする。
【０００８】
本願に係る液晶表示装置は、前記液晶パネルは前記第一リブで囲まれた範囲に収納されるようにしてあることを特徴とする。
【０００９】
本願に係る液晶表示装置は、前記光学シートは前記第一リブ又は第二リブで囲まれた範囲に収納されるようにしてあることを特徴とする。
【００１０】
本願に係る液晶テレビは、上記に記載の液晶表示装置と、テレビ放送を受信する受信部とを備え、前記液晶パネルモジュールは前記受信部が受信したテレビ放送に係る画像を前記液晶パネルの画面に表示するようにしてあることを特徴とする。
【発明の効果】
【００１１】
本願に係る液晶表示装置及び液晶テレビによれば、光学シートに変形を生じさせない。
【図面の簡単な説明】
【００１２】
【図１】液晶テレビの概略斜視図である。
【図２】液晶テレビを示す部分的な分解斜視図である。
【図３】図１の状態の液晶テレビを垂直方向に切断した断面図である。
【図４】フロントキャビネットの背面図である。
【図５】フロントキャビネットを示す部分的な斜視図である。
【図６】液晶パネルモジュールの部品をフロントキャビネットの上に載置した概要を示す説明図である。
【図７】光学シートと第一リブ及び第二リブとの位置関係を示す説明図である。
【図８】仕切りリブ周辺における構造の背面図である。
【図９】図８の仕切りリブ周辺に対応するフロントキャビネット及び液晶パネルモジュールの部分的な背面図である。
【図１０】仕切りリブ周辺に対応するバックライトシャーシの右下部を示す斜視図である。
【図１１】バックキャビネット及びバックライトシャーシを取り除いた液晶テレビの背面図である。
【図１２】バックキャビネットを取り除いた液晶テレビの背面図である。
【図１３】バックキャビネットを前面側から見た平面図である。
【図１４】バックキャビネットの斜視図である。
【図１５】液晶テレビの組み立ての手順を示す説明図である。
【図１６】液晶テレビの組み立ての手順を示す説明図である。
【図１７】液晶テレビの組み立ての手順を示す説明図である。
【図１８】液晶テレビの組み立ての手順を示す説明図である。
【図１９】放電防止枠の背面図である。
【図２０】放電防止枠を部分的に拡大して示した斜視図である。
【図２１】フロントキャビネット及び放電防止枠を部分的に拡大して示した斜視図である。
【図２２】液晶パネルモジュールの部品をフロントキャビネットの上に載置した概要を示す説明図である。
【発明を実施するための形態】
【００１３】
以下、本発明の一実施例における液晶テレビを、実施の形態を示す図面に基づいて説明する。本実施の形態に係る液晶テレビは、エッジライト方式のバックライトを備えている。本実施の形態に係る液晶テレビでは、液晶パネルモジュールの各構成部品を四周縁の外側から囲繞被覆するベゼルは排除されている。
なお、本発明は、以下の実施の形態に限定されるものではない。
【００１４】
実施の形態１
図１は、液晶テレビ１の概略斜視図である。ここで、液晶テレビ１が画像を表示する画面４１１に対して視聴者が正対した場合、画面４１１から視聴者側を前側、その反対である画面４１１から奥側を背面側又は後側とする。画面４１１は横長の略矩形であり、視聴者から画面４１１に向かって、画面４１１の長辺方向右側を右、画面４１１の長辺方向左側を左とする。背面側から液晶テレビ１を見た場合、左右は前側の左右と逆になる。また、視聴者から画面４１１に向かって、画面４１１の短辺方向上側を上、画面４１１の短辺方向下側を下とする。図１は、液晶テレビ１を前側右斜め上から示している。
【００１５】
液晶テレビ１は、フロントキャビネット２、バックキャビネット３、液晶パネルモジュール４、受信部Ｔ、電源基板Ｐ及びスタンドＳを含む。液晶パネルモジュール４は、前側に画面４１１を有し、前側のフロントキャビネット２と背面側のバックキャビネット３との間に収納されている。
【００１６】
フロントキャビネット２は、例えば樹脂製であり、矩形の枠状をなす。フロントキャビネット２は、液晶パネルモジュール４の前側周縁部及び外周面を取り囲んでいる。フロントキャビネット２は、略中央に横長矩形状の開口２１を有し、液晶パネルモジュール４の画面４１１は開口２１から覗いている。フロントキャビネット２の外周から背面側には、液晶パネルモジュール４の側方を覆う狭幅の側部が周設されている。
【００１７】
バックキャビネット３は、液晶パネルモジュール４を背面側から覆っている。バックキャビネット３は、例えば樹脂製であり、概ね皿状である。バックキャビネット３の周から前側には、液晶パネルモジュール４の側方を覆う側部が周設されており、当該側部の立ち上がりの高さはフロントキャビネット２の側部の立ち上がりの高さより高い。バックキャビネット３における側部の前側先端部は、フロントキャビネット２の側部の内周面に嵌合している。
【００１８】
受信部Ｔは、テレビ放送に関する映像信号を受信する。電源基板Ｐは、液晶テレビ１の各構成部に電力を供給する。
スタンドＳは、その上面中央に液晶テレビ１の下部中央と接合される支柱が設けられており、液晶テレビ１を起立状態で支持する板である。
【００１９】
図２は、液晶テレビ１を示す部分的な分解斜視図である。図２は、フロントキャビネット２とバックキャビネット３との間に、液晶パネルモジュール４の分離した各部品が下から上へ向かって配列された様子を側方から示している。図２において、図１の状態の液晶テレビ１における右下部が手前に位置するように描かれている。
図２において、液晶パネルモジュール４は、下から上へ向かって配置する放電防止枠４０、液晶パネル４１、光学シート４２、導光板４３、反射シート４４及びバックライトシャーシ（蓋部）４５の各部品を含む。
【００２０】
放電防止枠４０は、フロントキャビネット２における背面の開口２１の外側を縁取る矩形状の枠であり、電気伝導性を有する金属材料からなる。放電防止枠４０は、液晶テレビ１外部からの放電が受信部Ｔ、電源基板Ｐ等に与える影響を防止する機能を有する。
【００２１】
液晶パネル４１は、開口２１より広い矩形状の面を有する板状の部品である。液晶パネル４１は、前側に画面４１１を有する。
【００２２】
図２において、液晶パネル４１の手前部分に、ヒートシンク４６が示されている。ヒートシンク４６については、後述する。なお、図２におけるヒートシンク４６の裏側には、隠れて見えないＬＥＤ（Light Emitting Diode）基板及びその上に実装されたＬＥＤ（光源）が設けられている。すなわち、バックライトの光源となるＬＥＤは、図１の状態の液晶テレビ１において、液晶パネルモジュール４の最下部に配設されている。
【００２３】
光学シート４２は、合成樹脂シートであり、プリズムシート、拡散シート及び反射偏光シートを含む。光学シート４２は、導光板４３から液晶パネル４１に出射される光を均一に拡散する機能を有する。光学シート４２は、液晶パネル４１の背面と略同一の形状をなすが、光学シート４２の周端にはいくつかの切欠き部４２１が設けられている。
【００２４】
導光板４３は、矩形板状をなし、アクリルからなる。導光板４３の前面及び背面の面積は光学シート４２の面積よりわずかに広い。導光板４３の側部には、いくつかの凹部４３１が設けられている。
【００２５】
反射シート４４は、導光板４３とバックライトシャーシ４５との間に配設される白色樹脂、銀、アルミニウム等からなるシートである。反射シート４４は、導光板４３の背面に配置する。反射シート４４は、導光板４３の背面と略同一の形状をなす。例えば、導光板４３の凹部４３１と対応する反射シート４４の位置には、凹部４３１と同一形状の切欠き部４４１が設けられている。
【００２６】
バックライトシャーシ４５は、金属製の板であり、矩形状をなす。バックライトシャーシ４５の面積は導光板４３よりわずかに広い。
なお、バックライトシャーシ４５の背面には、受信部Ｔ及び電源基板Ｐがねじ止めにより固定される。
【００２７】
図３は、図１の状態の液晶テレビ１を垂直方向に切断した断面図である。図３の右側は液晶テレビ１の前側に、図３の左側は液晶テレビ１の背面側に対応する。図３において、液晶パネルモジュール４は、フロントキャビネット２とバックキャビネット３との間に配置され、フロントキャビネット２と接している。
【００２８】
導光板４３は、下部の側面から入射したＬＥＤの光を内部で拡散し、均一化する。導光板４３は、均一になった光を前面から光学シート４２に向かって面発光する。反射シート４４は、導光板４３内部の光を前側に反射することにより、ＬＥＤからの光の利用効率を高める。光学シート４２は、導光板４３から受けた光を拡散し、液晶パネル４１に出射する。液晶パネル４１は、光学シート４２からの出射光をその背面から取り入れ、受信部Ｔが受信したテレビ放送に係る画像を前面側の画面４１１に表示する。
【００２９】
放電防止枠４０とバックライトシャーシ４５との間に、液晶パネル４１、光学シート４２、導光板４３及び反射シート４４が積層された状態で配置している。放電防止枠４０の上部は、スペーサ４ａを介して液晶パネル４１の下端と接し、スペーサ４ｂを介して導光板４３の下部と接している。導光板４３と接する放電防止枠４０の部分は、背面側へ向かって突出し、山形又は逆Ｖ字形の折曲部を構成している。折曲部より下の放電防止枠４０は、背面側へ略直角に屈曲した屈曲部４０１及び更にその下に位置する略鉛直下方へ屈曲した屈曲部４０２を有す。屈曲部４０１と屈曲部４０２との間の放電防止枠４０は、前後に延びる横板部を構成し、屈曲部４０２から下の放電防止枠４０は下端が自由端となる上下板部を構成する。放電防止枠４０の当該横板部は、導光板４３における下側の側面と隔たった状態で対向している。
【００３０】
液晶パネルモジュール４は、ヒートシンク４６、ＬＥＤ基板４７及びＬＥＤ４８を含む。ヒートシンク４６は、熱伝導性のよいアルミニウム、銅等からなり、ＬＥＤ４８からの熱をバックライトシャーシ４５へ移動させるための部材である。ヒートシンク４６は、図３における断面形状がＬ字状をなし、その屈曲部と放電防止枠４０の屈曲部４０２とが接合するように、ヒートシンク４６の前後方向の板部及び上下方向の板部は夫々放電防止枠４０の横板部及び上下板部に密接している。
【００３１】
ＬＥＤ基板４７は、細長い矩形状の平板であり、ヒートシンク４６の横板部の上に、図示しないねじにより固定されている。そして、ＬＥＤ基板４７の上には、ＬＥＤ基板４７の長辺方向に沿って複数のＬＥＤ４８が略等間隔で配列する態様で実装されている。そして、ＬＥＤ４８の直上には、導光板４３の下側に面する側面がわずかな隙間を隔てて配置するように、放電防止枠４０、ヒートシンク４６、ＬＥＤ基板４７及びＬＥＤ４８は位置決めされている。
【００３２】
積層された状態の放電防止枠４０及びヒートシンク４６は、バックライトシャーシ４５とフロントキャビネット２との間に挟まれた状態で、ねじ５によりねじ止めされている。ねじ５は、バックライトシャーシ４５から挿入され、フロントキャビネット２の背面に立設されたボスに螺合している。
ねじ５で締結されたフロントキャビネット２とバックライトシャーシ４５とは、放電防止枠４０、液晶パネル４１、光学シート４２、導光板４３及び反射シート４４を積層する状態に押圧している。
図３のねじ５に対応する固定箇所は、液晶パネルモジュール４の下部に複数設けられている。
【００３３】
従来の液晶テレビにおいて、液晶パネルモジュールの各部品はベゼルにより固定されていた。しかし、液晶テレビ１ではベゼルが排除されている。そのため、液晶パネルモジュール４の各部品は、上述したようにバックライトシャーシ４５とフロントキャビネット２との間のねじ５による締結で、固定されている。
【００３４】
上記ベゼルは、液晶テレビを組み立てる際の部品の位置決めを行う機能を担っていた。また、ベゼルは、光学シートを撓ませずに固定する機能を有していた。更に、上記ベゼルは、ＬＥＤの光が液晶パネルモジュールの外部へ漏れることを防止する機能を有していた。
液晶テレビ１は、上記ベゼルが担っていた部品の位置決め、光学シートを変形させない状態での当該光学シートの固定及び光漏れ防止に関する機能を有する構造を備えている。次に、上記ベゼルの機能に代替する液晶テレビ１の構造について説明する。
【００３５】
図４は、フロントキャビネット２の背面図である。フロントキャビネット２は、横長の矩形状をなし、内部に液晶パネル４１の画面４１１が前側に覗く開口２１が設けられている。すなわち、フロントキャビネット２の形状は、枠状である。フロントキャビネット２における上部枠、左枠及び右枠の幅は、略同一である。他方、フロントキャビネット２における下部枠の幅は、他の枠の幅よりも広い。
【００３６】
フロントキャビネット２は、第一リブ２２、第二リブ２３及び仕切りリブ２４を含む。第一リブ２２、第二リブ２３及び仕切りリブ２４は、金型によりフロントキャビネット２と一体に成形される。
【００３７】
開口２１の周に沿って複数の第一リブ２２がフロントキャビネット２の背面から略等間隔で配設されている。上部枠には２個、左右枠には夫々２個、下部枠には５個の第一リブ２２が設けられている。開口２１の周端と第一リブ２２の内側端との間は、狭幅なフランジになっている。
フロントキャビネット２の枠の背面において、複数の第二リブ２３が開口２１の周に沿って、第一リブ２２よりも開口２１に対して外側の位置に配設されている。上部枠には１個、左右枠には夫々１個の第二リブ２３が設けられている。下部枠には、第二リブ２３は設けられていない。また、上部枠及び左右枠に設けられた第二リブ２３は、夫々幅方向に関して枠の略中央に配置されている。
第一リブ２２及び第二リブ２３は、隔離して配置されており、フロントキャビネット２の左枠、上部枠及び右枠の周に沿って、千鳥状に配設されている。
【００３８】
上部枠に設けられた第二リブ２３は、上部枠の上下左右方向の略中央に配置されている。上部枠に設けられた２個の第一リブ２２は、夫々上部枠の左右端と上部枠の第二リブ２３よりも若干左右端寄りの位置に配置されている。
左右枠に夫々設けられた第二リブ２３は、開口２１の短辺の中点よりも下側に対応する位置に配置されている。より具体的には、左右枠に夫々設けられた第二リブ２３は、開口２１の下側左右角部から若干上側に離れた位置に配置されている。左右枠に夫々２個ずつ設けられた第一リブ２２は、左右枠に設けられた第二リブ２３よりも上側に配置されている。
【００３９】
図５は、フロントキャビネット２を示す部分的な斜視図である。図５は、フロントキャビネット２の背面における右下部分に設けられた第一リブ２２及び第二リブ２３を、右斜め下から示している。
フロントキャビネット２に対する第一リブ２２の高さは、第二リブ２３の高さより低い。第一リブ２２の高さは、液晶パネル４１及び光学シート４２の厚さの合計よりわずかに大きい高さである。第二リブ２３の高さは、液晶パネル４１、光学シート４２、導光板４３及び反射シート４４の厚さの合計よりわずかに大きい高さである。第一リブ２２の高さと第二リブ２３の高さとの差は、導光板４３及び反射シート４４の厚さの合計と等しくなるように、第一リブ２２及び第二リブ２３の高さは調整されている。
【００４０】
第一リブ２２は、第一主リブ２２ａ及び第一副リブ２２ｂを含む。第一主リブ２２ａは、開口２１の辺と略平行なリブである。第一副リブ２２ｂは、第一主リブ２２ａに対して略直角方向かつ開口２１に対して外側に、第一主リブ２２ａの両端から突出するように設けられている。以下、第一主リブ２２ａの両端に設けられた第一副リブ２２ｂを両脇リブと呼ぶ。フロントキャビネット２の背面を上側にして、フロントキャビネット２を側面方向から見た場合、両脇リブの形状は例えば略矩形である。
【００４１】
第一副リブ２２ｂは、両脇リブの中間にも複数設けられており、第一副リブ２２ｂの総数は５個である。両脇リブの間に設けられた第一副リブ２２ｂは、開口２１に対して外側の第一主リブ２２ａの側壁とフロントキャビネット２の背面とがなす角部に、両脇リブと略平行に略等間隔で並設されている。フロントキャビネット２の背面を上側にして、フロントキャビネット２を側方から見た場合、両脇リブの間に設けられた第一副リブ２２ｂの形状は例えば底辺が上底より長い台形状である。かかる場合、両脇リブの間に設けられた第一副リブ２２ｂの内側の辺は底辺に対して略直角であり、外側の辺はフロントキャビネット２の背面に向かって傾斜している。
【００４２】
第二リブ２３は、第二主リブ２３ａ及び第二副リブ２３ｂを含む。第二主リブ２３ａ及び第二副リブ２３ｂの配置方向と形状とは、夫々第一主リブ２２ａ及び第一副リブ２２ｂに類似する。第二副リブ２３ｂの総数は７個である。
フロントキャビネット２を背面側から見た場合、第一リブ２２及び第二リブ２３の全体形状は、夫々櫛歯状である。
【００４３】
図４において、開口２１の下側左右角部に近い下部枠の背面から、夫々１個ずつ仕切りリブ２４が立設されている。
図５は、フロントキャビネット２の背面における右下部分に設けられた仕切りリブ２４を、右斜め下から示している。フロントキャビネット２の背面に対する仕切りリブ２４の高さは、第二リブ２３の高さと略同一であり、液晶パネル４１、光学シート４２、導光板４３及び反射シート４４の厚さの合計よりわずかに大きい高さに対応する。
【００４４】
仕切りリブ２４は、仕切り本体リブ２４ａ及び仕切り補強リブ２４ｂを含む。仕切り本体リブ２４ａは、開口２１の長辺と略平行なリブ及び該リブの両端から下方に延びるリブを有する。フロントキャビネット２の背面を上側にして、フロントキャビネット２を側方から見た場合、仕切り本体リブ２４ａの形状は略矩形である。フロントキャビネット２を背面側から見た場合、仕切り本体リブ２４ａの形状は、略コの字である。
【００４５】
仕切り補強リブ２４ｂは２個設けられている。仕切り補強リブ２４ｂは、開口２１に対して外側の仕切り本体リブ２４ａの側壁とフロントキャビネット２の背面とがなす角部に略等間隔に設けられている。仕切り補強リブ２４ｂの方向は、下向きである。フロントキャビネット２の背面を上側にして、フロントキャビネット２を側面から見た場合、仕切り補強リブ２４ｂの形状は底辺が上底より長い台形状である。かかる場合、仕切り補強リブ２４ｂの内側の辺は底辺に対して略直角であり、外側の辺はフロントキャビネット２の背面に向かって傾斜している。
フロントキャビネット２を背面側から見た場合、仕切りリブ２４の全体形状は櫛歯状である。
【００４６】
第一リブ２２、第二リブ２３及び仕切りリブ２４において、第一副リブ２２ｂ、第二副リブ２３ｂ及び仕切り補強リブ２４ｂは、夫々第一リブ２２、第二リブ２３及び仕切りリブ２４の強度を増大させる機能を有する。また、第一副リブ２２ｂ、第二副リブ２３ｂ及び仕切り補強リブ２４ｂは、夫々第一リブ２２、第二リブ２３及び仕切りリブ２４に対応するフロントキャビネット２の前面位置に成形時に発生するヒケを抑えるために設けられている。
【００４７】
図４において、フロントキャビネット２の上部枠に配設された第一リブ２２の内側位置と、下部枠に配設された第一リブ２２の内側位置との間の距離は、液晶パネル４１の短辺方向の長さにほぼ等しい。フロントキャビネット２の左右枠に夫々配設された第一リブ２２の内側位置の間の距離は、液晶パネル４１の長辺方向の長さにほぼ等しい。
【００４８】
図４において、フロントキャビネット２の上部枠に配設された第二リブ２３の内側位置と、下部枠に配設された仕切りリブ２４の内側位置との間の距離は、光学シート４２、導光板４３及び反射シート４４の各短辺方向の長さにほぼ等しい。フロントキャビネット２の左右枠に夫々配設された第二リブ２３の内側位置の間の距離は、光学シート４２、導光板４３及び反射シート４４の長辺方向の長さにほぼ等しい。
【００４９】
液晶テレビ１の組み立てに際し、フロントキャビネット２の背面を上側にして、フロントキャビネット２を略水平な面に載置する。フロントキャビネット２に重なる態様で、放電防止枠４０をフロントキャビネット２の外周縁部に乗せる。液晶パネル４１を開口２１の周縁に沿って配設された第一リブ２２の間の空間に収容する。次に、光学シート４２、導光板４３及び反射シート４４を第二リブ２３及び仕切りリブ２４の間の空間に収容する。
【００５０】
図６は、液晶パネルモジュール４の部品をフロントキャビネット２の上に載置した概要を示す説明図である。図６において、左側はフロントキャビネット２の内側に該当し、フロントキャビネット２の左側端は、開口２１の周で途切れている。図６において、右側はフロントキャビネット２の外側に該当する。図６は、フロントキャビネット２の上に積層された液晶パネル４１、光学シート４２、導光板４３及び反射シート４４の概要を第一リブ２２及び第二リブ２３に対する位置関係から説明している。実際の第一リブ２２及び第二リブ２３は隔離しているが、図６の第一リブ２２及び第二リブ２３は図６の法線方向に投影して示されており、近接して描かれている。
【００５１】
液晶パネル４１における前面の縁部は、フロントキャビネット２の開口２１周囲の縁に当接し、液晶パネル４１の側面は、第一リブ２２の内側面に当接している。光学シート４２は、液晶パネル４１の上に乗り、光学シート４２の周端は、第一リブ２２の内側面とわずかな隙間を隔てて離間している。
【００５２】
光学シート４２の周端は、第一リブ２２に対向する部分及び第二リブ２３に対向する部分がある。光学シート４２の実線は、第一リブ２２に対向する光学シート４２の周端部分を示している。光学シート４２の破線及びその右側の実線は、第二リブ２３に対向する光学シート４２の周端部分を示している。
第一リブ２２に対向する光学シート４２の周端は、第一リブ２２の内側面とわずかに離間する。第二リブ２３に対向する光学シート４２の周端は、更に外側まで延設されており、第二リブ２３の内側面に当接する。
【００５３】
図７は、光学シート４２と第一リブ２２及び第二リブ２３との位置関係を示す説明図である。図７は、液晶テレビ１を組み立てる工程において、光学シート４２が背面側に露出している段階を示している。図７の左側は光学シート４２の内側に、図７の右側は光学シート４２の外側に該当する。第二リブ２３と対向する光学シート４２の周端は、第二リブ２３の内側面と当接している。他方、第一リブ２２と対向する光学シート４２の周端には、矩形状の切欠き部４２１が設けられており、切欠き部４２１は第一リブ２２とわずかな隙間を隔てて離間している。
なお、光学シート４２の周端は、第一リブ２２及び第二リブ２３両者の内側面と当接してもよい。
あるいは、光学シート４２の周端は、第一リブ２２の内側面にのみ当接してもよい。かかる場合、光学シート４２の形状及び大きさは、液晶パネル４１の背面と略同一にし、切欠き部４２１は設けられない。
【００５４】
図６における導光板４３の前面の周縁部は第一リブ２２の先端部に当接し、導光板４３の側面は第二リブ２３の内側面に当接している。反射シート４４は、導光板４３の上に乗り、反射シート４４の周端は第二リブ２３の内面に当接している。反射シート４４の背面は、バックライトシャーシ４５と当接している。第二リブ２３の先端面には、バックライトシャーシ４５の前面の周端部が当接している。導光板４３は、反射シート４４を介してバックライトシャーシ４５からねじ５の締結に起因する押圧力を受け、第一リブ２２の先端面を押圧する。
【００５５】
図６では、光学シート４２と導光板４３との間に隙間が誇張して描かれている。しかし、実際にはこの隙間はたいへん狭く、この狭い隙間により、導光板４３はねじ５の締結に起因する押圧力を受けても、光学シート４２をほとんど押圧しない。そのため、光学シート４２には、押圧による撓み、反り等の変形は生じない。
なお、開口２１の下側の角部付近では、図６における第二リブ２３の機能は、仕切りリブ２４により代替される。
【００５６】
図８は、仕切りリブ２４周辺における構造の背面図である。図８は、フロントキャビネット２に放電防止枠４０、ヒートシンク４６、ＬＥＤ基板４７及びＬＥＤ４８を取り付けた様子を示している。
図８の略中央には、横方向に延びるヒートシンク４６が描かれている。ヒートシンク４６の上には、ＬＥＤ基板４７が固定され、ＬＥＤ基板４７の上には更にＬＥＤ４８が実装されている。ＬＥＤ基板４７の右端には、ＬＥＤ４８に電力を供給する電源コード６を接続するためのコネクタ４９が設置されている。コネクタ４９は、下方のＬＥＤ基板４７、上方及び側方の仕切りリブ２４、前面側のフロントキャビネット２で取り囲まれている。コネクタ４９の背面側は、図８では図示されていないバックライトシャーシ４５により覆われる。
【００５７】
図９は、図８の仕切りリブ２４周辺に対応するフロントキャビネット２及び液晶パネルモジュール４の部分的な背面図である。図９は、図８の状態の液晶テレビ１に、バックライトシャーシ４５を取り付けた様子を示している。
コネクタ４９と対向するバックライトシャーシ４５の位置には、開口部４５１が設けられている。開口部４５１は、コネクタ４９に接続された電源コード６を液晶パネルモジュール４の外部へ挿通するために設けられている。あるいは、開口部４５１は、コネクタ４９に接続する電源コード６を液晶パネルモジュール４の外部から内部へ挿通するための開口である。開口部４５１の形状は略矩形である。しかし、開口部４５１の形状は特定の形状に限定されない。
【００５８】
仮に、フロントキャビネット２の背面から仕切りリブ２４が立設されていない場合、ＬＥＤ４８からの光は、開口部４５１から液晶パネルモジュール４の外部へ漏れる。しかし、ＬＥＤ４８と開口部４５１とは、ＬＥＤ基板４７、フロントキャビネット２、バックライトシャーシ４５及び仕切りリブ２４により遮断されている。そのため、ＬＥＤ４８からの光は、液晶パネルモジュール４の外部に漏れない。
【００５９】
図１０は、仕切りリブ２４周辺に対応するバックライトシャーシ４５の右下部を示す斜視図である。図１０は、バックライトシャーシ４５の背面部分を示している。
バックライトシャーシ４５の下縁部は、バックライトシャーシ４５の下側長辺に沿ってクランク状に折り曲げられて形成された段部４５２を有する。段部４５２より下側端までのバックライトシャーシ４５は、背面側に突出した棚部である。開口部４５１は、段部４５２を横断するように設けられている。段部４５２より上の仕切りリブ２４と対向するバックライトシャーシ４５部分には、皿状に背面側に盛り上がった皿状部４５３が形成されている。そのため、皿状部４５３とその周囲の平坦部との間は段部４５３ａになっている。仕切りリブ２４の背面側の先端面は、皿状部４５３内部の前側面及び段部４５２と当接し、かつ段部４５２より下側の棚部の一部と当接するように構成されている。
ＬＥＤ４８からの光は、仕切りリブ２４の先端面と皿状部４５３内部の前側面とが当接している部分にも差し込む。段部４５３ａは、この仕切りリブ２４と皿状部４５３とが当接する部分へ向かう光の一部を遮る機能を有している。
【００６０】
図１１は、バックキャビネット２及びバックライトシャーシ４５を取り除いた液晶テレビ１の背面図である。図１１は、導光板４３の背面が広く露出した様子を示している。導光板４３の下には、僅かな隙間を隔ててＬＥＤ基板４７及びＬＥＤ４８が配設されている。なお、図１１において、ＬＥＤ４８の符号は省略されている。
【００６１】
導光板４３の周囲には、複数の凹部４３１が設けられている。
導光板４３の上部角に設けられた凹部４３１ａは、バックキャビネット３を貫通し、フロントキャビネット２に螺合される固定用のねじを避けるために設けられている。導光板４３の側端の中央に設けられた凹部４３１ｂもねじを避けるための凹部４３１である。導光板４３の下部角に設けられた凹部４３１ｄは、液晶テレビ１を組み立てる際に、導光板４３の位置決め部としての仕切りリブ２４と隣接し、仕切りリブ２４を収容するための凹部４３１である。導光板４３の側端の中央に設けられた凹部４３１ｂと導光板４３の下部角に設けられた凹部４３１ｄとの間に、凹部４３１ｃが設けられている。凹部４３１ｃは、導光板４３の位置決め部としての第二リブ２３が導光板４３と当接し、導光板４３に嵌合するための凹部４３１である。
【００６２】
ＬＥＤ４８が点灯した場合、ＬＥＤ４８からの発熱により、例えばアクリル製の導光板４３の温度は上昇する。その場合の熱伝導速度は速く、導光板４３は短時間で均一に高温状態になる。そして、導光板４３は均一に熱膨張する。
導光板４３が熱膨張した場合、導光板４３とＬＥＤ４８との距離は短くなる。図１１の例において、導光板４３の下部側面とその下に設けられたＬＥＤ４８との間の距離が変化した場合、導光板４３から出射される光の輝度分布に偏りが生じるおそれがある。
【００６３】
熱膨張した導光板４３の凹部４３１ｃは、第二リブ２３に密着し、第二リブ２３を押圧する。しかし、凹部４３１ｃは第二リブ２３からの反作用力により力がつり合い、熱変形による移動が阻止される。他方、左右の凹部４３１ｃを結んだ線分より上部及び下部の導光板４３の部分は熱膨張により移動する。その際、凹部４３１ｃ及び第二リブ２３は、導光板４３の半分の高さよりも低い位置に設けられているため、上部の導光板４３の部分は、下部の導光板４３の部分より広い。そのため、導光板４３の下部側面の熱膨張量は、上部側面の熱膨張量より常に少ない。従って、凹部４３１ｃ及び第二リブ２３を、導光板４２の側方辺（短辺）の中央位置よりも下側に設けることで、導光板４３の下部側面とその下に設けられたＬＥＤ４８との間の距離変化を低減することができる。あるいは、凹部４３１ｃ及び第二リブ２３を、ＬＥＤ４８から最も遠い導光板４３の側方辺端よりも、ＬＥＤ４８に最も近い導光板４３の側方辺端に近い位置に設けることで、導光板４３の下部側面とＬＥＤ４８との間の距離変化を低減することができる。
【００６４】
なお、図１１において、導光板４３の下側角には、仕切りリブ２４が配設されている。熱膨張により、下方に張り出した導光板４３は、仕切りリブ２４を押圧する。しかし、押圧された仕切りリブ２４は、反作用により導光板４３を押し返す。従って、仕切りリブ２４も導光板４３の下部側面とその下に設けられたＬＥＤ４８との間の距離変化を低減する機能を有する。
【００６５】
液晶テレビから液晶パネルモジュールの各部品を固定するベゼルを排除した場合、液晶パネルモジュールに強度低下が生じる。そこで、液晶テレビ１には、液晶パネルモジュール４の強度を担保する構造がバックキャビネット３に設けられている。
【００６６】
図１２は、バックキャビネット３を取り除いた液晶テレビ１の背面図である。図１２において、バックライトシャーシ４５が広く露出している。バックライトシャーシ４５の背面の下部には、受信部Ｔ及び電源基板Ｐが取り付けられている。バックライトシャーシ４５の背面の上部には、平坦な面が広がっている。
【００６７】
図１３は、バックキャビネット３を前面側から見た平面図である。
バックキャビネット３の前面の上部には、略水平及び略鉛直方向に平行な当接リブ３１が設けられている。当接リブ３１は、略水平及び略鉛直方向の両方向について略等間隔に並設されている。略水平な当接リブ３１と略鉛直な当接リブ３１とは、略直角で交差し、格子状又は井桁状をなす。バックキャビネット３の前面に対する当接リブ３１の高さは、バックキャビネット３を液晶テレビ１に組み込んだ場合、当接リブ３１の先端がバックライトシャーシ４５の平坦な背面部分と当接するように調整されている。バックキャビネット３をフロントキャビネット２にねじ止めした場合、ねじの締結力により当接リブ３１の先端はバックライトシャーシ４５を押圧する。この押圧力は導光板４３を含む前側の部品に伝搬し、液晶パネルモジュール４の強度を増大させる。
【００６８】
図１４は、バックキャビネット３の斜視図である。図１４は、背面側の右側方から見たバックキャビネット３を示している。
バックキャビネット３の背面の上部には、中央から左右に離反した２カ所に凹部３２が形成されている。２カ所の凹部３２の深さは略同一である。また、２カ所の凹部３２は共に矩形状の平底を有し、平底と凹部３２の周囲との間は鋭角傾斜の斜面を構成している。２か所の凹部３２の間の部分は、相対的に凹部３２に対して矩形状の平坦面が突出した凸部３３になっている。凸部３３の平坦面は、その上下のバックキャビネット３の平坦面から少し落ち込んでいる。
【００６９】
バックライトシャーシ４５に取り付けられた受信部Ｔと対向するバックキャビネット３の下部の部分は、背面から略垂直に落ち込んだ凹部３２が形成されている。
【００７０】
バックキャビネット３は、平坦な形状であるよりも、凹部３２及び凸部３３を有する凸凹な形状である方が強度は増大する。液晶パネルモジュール４は、増大した強度のバックキャビネット３から押圧されることにより、強度が増大する。また、バックキャビネット３も液晶パネルモジュール４と当接することにより、単体である場合よりも強度が増大する。このような相互作用により、液晶テレビ１の液晶パネルモジュール４及びバックキャビネット３は強度を強め合っている。
【００７１】
図１３におけるバックキャビネット３の前面側の凹凸は、背面側の凹凸と逆転する。図１３におけるバックキャビネット３の上部中央の凸部３３は、バックライトシャーシ４５に対して背面側に凹んでいる。他方、凹部３２の部分はバックライトシャーシ４５に対して突出している。そのため、凸部３３の当接リブ３１の高さは凹部３２の当接リブ３１の高さより高くして、凸部３３の当接リブ３１と凹部３２の当接リブ３１が均等にバックライトシャーシ４５を押圧するように当接リブ３１は構成されている。
【００７２】
図１３において、凹部３２の外側には、液晶テレビ１内部の熱を外部に逃がすための放熱孔３４が設けられている。放熱孔３４は複数であり、複数の放熱孔３４が略水平及び略鉛直の２方向について並設されている。複数の放熱孔３４が設けられたバックキャビネット３の領域は、他の領域と外観上明瞭に区別可能な放熱孔部３４０をなしている。
放熱孔部３４０は、図１３において２カ所の凹部３２の外側に、夫々矩形状の凹部３２を縁取るようにＬ字形をなしている。また、電源基板Ｐに対向するバックキャビネット３の下部の部分と、その上の右側の凹部３２との間にも矩形状の放熱孔部３４０が設けられている。
【００７３】
井桁状の当接リブ３１は、放熱孔部３４０にも設けられている。具体的には、放熱孔部３４０に配列する複数の放熱孔３４の間の部分又は放熱孔３４の近傍に、略水平及び略鉛直方向の両方向について略等間隔に当接リブ３１が並設されている。これにより、当接リブ３１がバックライトシャーシ４５に当接する範囲を拡大することができる。
【００７４】
次に、液晶テレビ１の組み立て方法について説明する。
図１５、図１６、図１７及び図１８は、液晶テレビ１の組み立ての手順を示す説明図である。図１５、図１６、図１７及び図１８は、組み立て途中の状態における液晶テレビ１の部分的な背面図であり、夫々液晶テレビ１の右側下部の部分を示している。
【００７５】
図１５Ａは、フロントキャビネット２の部分的な背面図である。フロントキャビネット２の背面を上に向け、フロントキャビネット２を略水平な面に載置する。
図１５Ｂは、図１５Ａのフロントキャビネット２に放電防止枠４０を取り付けた状態を示している。フロントキャビネット２の枠に沿って放電防止枠４０を取り付ける。
第一リブ２２に対応する放電防止枠４０の位置には、第一リブ２２が嵌合可能な切欠きが設けられている。第二リブ２３及び仕切りリブ２４に夫々対応する放電防止枠４０の位置には、第二リブ２３及び仕切りリブ２４が挿通可能な開口が設けられている。フロントキャビネット２に放電防止枠４０を重ねる際、第一リブ２２、第二リブ２３及び仕切りリブ２４がこれらの切欠き及び開口から直立するように、フロントキャビネット２に対する放電防止枠４０の位置決めを行う。
【００７６】
図１５Ｂは、図１５Ａのフロントキャビネット２にヒートシンク４６、ＬＥＤ基板４７、ＬＥＤ４８、コネクタ４９を取り付けた状態も示している。
ＬＥＤ４８及びコネクタ４９は予めＬＥＤ基板４７に取り付けておく。ＬＥＤ基板４７をヒートシンク４６にねじで固定する。ＬＥＤ基板４７が固定されたヒートシンク４６を放電防止枠４０の下端に取り付ける。
【００７７】
図１６Ａは、図１５Ｂの液晶テレビ１に液晶パネル４１を取り付けた状態を示している。開口２１の周縁から直立する複数の第一リブ２２の内面に当接するように液晶パネル４１を位置決めし、複数の第一リブ２２によって囲まれた空間に液晶パネル４１を挿入する。
【００７８】
図１６Ｂは、図１６Ａの液晶テレビ１に光学シート４２を取り付けた状態を示している。光学シート４２の大きさは、周の外縁が第二リブ２３に当接する大きさである。しかし、光学シート４２を液晶パネル４１の上に乗せた場合、第二リブ２３よりも内側に設けられた第一リブ２２が光学シート４１と重なってしまう。そこで、第一リブ２２に対応する光学シート４２の周端部分には、第一リブ２２を避ける切欠き部４２１が設けられている。第一リブ２２はフロントキャビネット２に複数設けられているため、切欠き部４２１もそれに応じて複数設けられている。複数の切欠き部４２１の内部に夫々第一リブ２２が収容されるように、かつ周端が複数の第二リブ２３の内面に当接するように、光学シート４２の位置決めを行い、光学シート４２を液晶パネル４１の上に乗せる。
【００７９】
図１７Ａは、図１６Ｂの液晶テレビ１に導光板４３を取り付けた状態を示している。導光板４３の凹部４３１ｃにフロントキャビネット２に設けられた３カ所の第二リブ２３が勘合するように、導光板４３の位置決めを行う。その際、導光板４３の下側角部の凹部４３１ｄがフロントキャビネット２に設けられた２カ所の仕切りリブ２４に当接するようにも、導光板４３の位置決めを行う。そして、第二リブ２３及び仕切りリブ２４によって囲まれた空間に導光板４３を挿入する。
【００８０】
図１７Ｂは、図１７Ａの液晶テレビ１にバックライトシャーシ４５を取り付けた状態を示している。バックライトシャーシ４５に設けられたねじ通し孔をフロントキャビネット２に設けられたボスと重なるようにバックライトシャーシ４５の位置決めを行う。その後、ねじ通し孔にねじ５を挿通し、ねじ５で液晶パネルモジュール４の各部品をフロントキャビネット２と固定する。
【００８１】
図１８は、図１７Ｂの液晶テレビ１にバックキャビネット３を取り付けた状態を示している。バックキャビネット３の周がフロントキャビネット２の周に内接するように、バックキャビネット３の位置決めを行う。その際、バックキャビネット３に設けられたねじ通し孔はフロントキャビネット２に設けられたボスと重なる。その後、ねじ通し孔にねじ７を挿通し、ねじ7でバックキャビネット３及びフロントキャビネット２を固定する。
バックキャビネット３の前面には、液晶パネルモジュール４のバックライトシャーシ４５に当接する当接リブ３１が設けられている。当接リブ３１はバックライトシャーシ４５を押圧するため、ねじ７の締結により、液晶パネルモジュール４、バックキャビネット３及びフロントキャビネット２は固定される。
【００８２】
本実施の形態に係る当接リブ３１は複数であるが、当接リブ３１は１つだけでもよい。当接リブ３１の配設方向は、３方向以上でもよく、異なる方向の当接リブ３１は交差しなくてもよい。例えば、６つの方向を有する各当接リブ３１が放射状に配設されてもよい。
【００８３】
なお、本実施の形態に係る液晶テレビ１は、導光板４３の一側面に対してのみＬＥＤ４８の光が入射されるエッジライト方式であり、ヒートシンク４６、ＬＥＤ基板４７及びＬＥＤ４８は、導光板４３の下側の側面と対向する位置にのみ設けられている。
ただし、液晶テレビ１におけるエッジライト方式は、例えば全側面から導光板４３に光が入射されるものでもよいし、左右の側面又は上下の側面から導光板４３に光が入射されるものでもよい。そのため、導光板４３に光が入射される側面の数と位置に応じて、ヒートシンク４６、ＬＥＤ基板４７及びＬＥＤ４８の配置数及び配置位置は変更されてよい。
【００８４】
本実施の形態に係るバックキャビネット３の当接リブ３１は、エッジライト方式の液晶パネルモジュール４に当接した。しかし、当接リブ３１は、直下型方式の液晶パネルモジュールに当接してよい。すなわち、液晶テレビ１は直下型のバックライトを備えていてもよい。
【００８５】
液晶テレビ１によれば、液晶パネルモジュール４の強度を増大することができる。
各部品を固定するベゼルが排除された液晶パネルモジュール４の強度は、ベゼルを備える場合よりも低下する。しかし、バックキャビネット３とフロントキャビネット２とを固定するねじ７の締結により、バックキャビネット３の当接リブ３１がバックライトシャーシ４５を押圧するため、液晶パネルモジュール４の強度は増大する。また、バックキャビネット３に当接リブ３１を設けることにより、バックキャビネット３の強度は増大する。
【００８６】
バックキャビネット３は樹脂製であるため、バックライトシャーシ４５に取り付けられる鋼板の補強材よりも軽いため、当該補強材により液晶パネルモジュールを補強する場合よりも液晶テレビ１の軽量化に抵触しない。また、当接リブ３１はバックライトキャビネット３の一体成形により設けられるため、ベゼルの排除と共に部品点数の削減に資する。
【００８７】
バックキャビネット３は、バックライトシャーシ４５に対して面ではなく、いわば当接リブ３１先端の線で当接する。そのため、バックキャビネット３とバックライトシャーシ４５との接触面積は限定的であり、内部部品の振動であるビビリの発生を抑えることができる。
また、当接リブ３１は、バックライトシャーシ４５に対して面状に接しないため、当接リブ３１が設けられたバックキャビネット３の領域とバックライトシャーシ４５との間には、空気が存在する。液晶テレビ１内部の熱により加熱された当該空気は、バックキャビネット３の放熱孔３４から液晶テレビ１外部へ移動する。これにより、当接リブ３１による補強構造は、放熱効果を妨げない。
【００８８】
液晶テレビ１によれば、画面４１１における光の均一性は損なわれない。
ねじ５、７の締結により、導光板４３が前側を押圧する力は、第一リブ２２の先端部に作用するが、光学シート４２にはほとんど作用しない。そのため、光学シート４２に撓み、反り等の変形は生じない。光学シート４２は、導光板４３から出射された光を均一に拡散し、液晶パネル４１に拡散した光を入射させるので、液晶パネル４１の画面４１１に表示される画像に輝度ムラは生じない。
【００８９】
導光板４３への入光率を高めるために、ＬＥＤ４８と導光板４３とは可能な限り近接して配置されるが、ＬＥＤ４８と導光板４３の側面とが所定の距離よりも僅かでも変化する場合、入射光の輝度は大きく変化する。導光板４３への入射光の輝度の変化は、導光板４３からの出射光の輝度のばらつきを招来せしめる。そのため、熱変形、振動等によってＬＥＤ４８と導光板４３との距離が容易に変動しないようにする必要がある。
【００９０】
液晶テレビ１によれば、導光板４３の熱膨張は凹部４３１に第二リブ２３が貫入していることにより、第二リブ２３によって規制される。凹部４３１及び第二リブ２３は、導光板４３の短辺に対応する側面の略中央よりもＬＥＤ４８のより近くに対応する位置に設けられている。そのため、凹部４３１より下部の導光板４３の部分の移動量は、凹部４３１より上部の導光板４３の部分の移動量よりも常に小さい。これにより、ＬＥＤ４８と、光が入射する導光板４３の側面との距離の変動を抑制することができる。
【００９１】
実施の形態２
実施の形態２は、放電防止枠（枠体）４０に導光板４３を支持する支持部を設ける形態に関する。導光板４３は、前側に位置する放電防止枠４０の支持部と後側に位置するバックライトシャーシ４５とにより前後に挟持される。
【００９２】
放電防止枠４０は、前側のフロントキャビネット２と後側の液晶パネル４１との間に位置する枠体である（図２参照）。放電防止枠４０は、フロントキャビネット２の背面側に設けられた複数の第一リブ２２、第二リブ２３及び仕切りリブ２４と重なり合う大きさを有している（図１５Ａ、図１５Ｂ参照）。
【００９３】
図１９は、放電防止枠４０の背面図である。放電防止枠４０は、金属材料に対して例えばプレス加工を施すことにより成形される。放電防止枠４０は、筒状の外枠と、外枠の前側端から内側に張り出したフランジ状の内枠とを含む（図２参照）。内枠は、導光板４３の前面と略平行である。
【００９４】
放電防止枠４０の内枠には、第一リブ２２及び第二リブ２３が夫々挿通可能な矩形状の第一リブ挿通穴（第一挿通穴）４０３及び第二リブ挿通穴（第二挿通穴）４０４が、夫々第一リブ２２及び第二リブ２３に対応する位置に設けられている。また、放電防止枠４０の内枠には、仕切りリブ２４が挿通可能な矩形状の仕切りリブ挿通穴４０５が、仕切りリブ２４に対応する位置に設けられている。
【００９５】
放電防止枠４０には、ブリッジ４０６が設けられている。このブリッジ４０６が導光板４３を支持する支持部に該当する。背面側又は正面側から見て、ブリッジ４０６は、第一リブ挿通穴４０３内における外側領域を部分的に閉鎖している。
【００９６】
図２０は、放電防止枠４０を部分的に拡大して示した斜視図である。図２０は、第一リブ挿通穴４０３の部分を拡大して示している。図２０の右下方向は放電防止枠４０の内側方向を示し、図２０の左上方向は放電防止枠４０の外側方向を示す。
ブリッジ４０６は、２個の突出部４０６１及び平坦部４０６２を含む。２個の突出部４０６１は、第一リブ挿通穴４０３の周縁部のうち、放電防止枠４０の周方向に対向し合う周縁部から背面側に夫々突出した板状部材である。図２０における２個の突出部４０６１は、第一リブ挿通穴４０３の周縁部から互いに接近する方向かつ背面側へ向かう方向に突出している。つまり、２個の突出部４０６１は、夫々第一リブ挿通穴４０３の内縁部から第一リブ挿通穴４０３の開口面に対して鋭角の角度で背面側に突出している。
【００９７】
平坦部４０６２は、２個の突出部４０６１の間を放電防止枠４０の周方向に懸架する平板である。平坦部４０６２は、放電防止枠４０の内枠と略平行である。そのため、平坦部４０６２は、導光板４３の前側面とも略平行である。
ブリッジ４０６は第一リブ挿通穴４０３内における外側寄りの領域を閉鎖するように設けられており、第一リブ挿通穴４０３内における内側寄りの領域は、開口のままである。フロントキャビネット２に放電防止枠４０を取り付けた場合、第一リブ２２は、第一リブ挿通穴４０３内における内側寄りの領域から背面側に突出する。
【００９８】
図２１は、フロントキャビネット２及び放電防止枠４０を部分的に拡大して示した斜視図である。図２１は、フロントキャビネット２に放電防止枠４０を取り付けた状態における第一リブ２２、第一リブ挿通穴４０３及びブリッジ４０６を拡大して示している。図２１の右下方向はフロントキャビネット２及び放電防止枠４０の内側方向を示し、図２１の左上方向はフロントキャビネット２及び放電防止枠４０の外側方向を示す。
平坦部４０６２の高さは、液晶パネルモジュール４を組み立てた場合、第一リブ挿通穴４０３から背面側に突出する第一リブ２２の高さより高い。つまり、液晶パネルモジュール４を組み立てた場合、平坦部４０６２が導光板４３の前面周縁部と当接し、第一リブ２２の先端部は導光板４３に接触しないように、平坦部４０６２の高さ及び第一リブ２２の高さは調整されている。
【００９９】
図２２は、液晶パネルモジュール４の部品をフロントキャビネット２の上に載置した概要を示す説明図である。図２２において、左側はフロントキャビネット２の内側に該当し、フロントキャビネット２の左側端は、開口２１の周で途切れている。図２２において、右側はフロントキャビネット２の外側に該当する。図２２には、フロントキャビネット２の上に積層された放電防止枠４０、液晶パネル４１、光学シート４２、導光板４３及び反射シート４４の概要が第一リブ２２、第二リブ２３及びブリッジ４０６に対する位置関係を含めて示されている。実際の第一リブ２２及び第二リブ２３は隔離しているが、図２２の第一リブ２２及び第二リブ２３は図２２の法線方向に投影して示されており、近接して描かれている。
【０１００】
液晶パネル４１における前面の縁部は、フロントキャビネット２の開口２１周囲の縁に当接し、液晶パネル４１の側面は、第一リブ２２の内側面に当接している。光学シート４２は、液晶パネル４１の上に積層されている。
液晶パネル４１における前面の縁部は、図３に示したように、スペーサ４ａを介して放電防止枠４０により支持されてもよいが、スペーサ４ａを設けずにフロントキャビネット２だけで支持されてもよい。
【０１０１】
第一リブ２２と対向する光学シート４２の周端には、矩形状の切欠き部４２１が設けられており、切欠き部４２１は第一リブ２２の内側面とわずかな隙間を隔てて離間している。切欠き部４２１が設けられていない光学シート４２の周端は、第二リブ２３の内側面に当接している。図２２において、光学シート４２の実線は、第一リブ２２及び第二リブ２３に対向する光学シート４２の周端部分を示している。光学シート４２の破線は、第一リブ挿通穴４０３及びブリッジ４０６を避ける切欠き部４２１の中空部を示している。
【０１０２】
実施の形態２における第一リブ２２の高さは、実施の形態１における第一リブ２２の高さよりわずかに低い。液晶パネルモジュール４を組み立てた場合、第一リブ２２の高さは、フロントキャビネット２の背面から光学シート４２の背面までの距離より若干高い。すなわち、第一リブ２２の高さは、放電防止枠４０、液晶パネル４１及び光学シート４２の合計厚より大きい。一方、液晶パネルモジュール４を組み立てた場合、ブリッジ４０６の平坦部４０６２の高さは、第一リブ２２が第一リブ挿通穴４０３から突出する高さより高い。そのため、図２２における導光板４３の前面周縁部は、ブリッジ４０６の平坦部４０６２に当接し、第一リブ２２と接触していない。
なお、第一リブ２２の高さは、放電防止枠４０、液晶パネル４１及び光学シート４２の合計厚と同一でもよい。
【０１０３】
図２２における導光板４３の側面は、第二リブ２３の内側面に当接している。反射シート４４は、導光板４３の上に乗り、反射シート４４の周端は第二リブ２３の内側面に当接している。反射シート４４の背面は、バックライトシャーシ４５と当接している。第二リブ２３の先端面には、バックライトシャーシ４５の前面の周端部が当接している。導光板４３は、反射シート４４を介してバックライトシャーシ４５からねじ５の締結に起因する押圧力を受け、ブリッジ４０６の平坦部４０６２を押圧する。
【０１０４】
図２２では、光学シート４２と導光板４３との間に隙間が誇張して描かれている。しかし、実際にはこの隙間は狭く、この狭い隙間により、導光板４３はねじ５の締結に起因する押圧力を受けても、光学シート４２をほとんど押圧しない。そのため、光学シート４２には、押圧による撓み、反り等の変形は生じない。
【０１０５】
なお、液晶テレビ１は、放電防止枠４０ではなく、ＥＭＩ（Electro-Magnetic Interference）を低減するための接地ケーブルと接続された導電板を備えていてもよい。かかる
場合、導電板は放電防止枠４０と同じ形態であり、液晶テレビ１において放電防止枠４０と同じ位置に組み込まれる。かかる場合、導電板に導光板４３を支持する支持部が設けられる。
【０１０６】
実施の形態２では、背面方向におけるブリッジ４０６の高さは、第一リブ挿通穴４０３から突出する第一リブ２２の高さより高い。しかし、背面方向におけるブリッジ４０６の高さは、第一リブ挿通穴４０３から突出する第一リブ２２の高さと同一でもよい。かかる場合、ブリッジ４０６の平坦部４０６２及び第一リブ２２の先端部が導光板４３の前面周縁部に当接し、導光板４３の前側はブリッジ４０６及び第一リブ２２の両者で支持される。
【０１０７】
実施の形態２では、第一リブ挿通穴４０３において対向する両周縁部から１個ずつ、合計２個の突出部４０６１が設けられていた。しかし、第一リブ挿通穴４０３において対向する両周縁部から２個以上の突出部４０６１が設けられてもよい。例えば、第一リブ挿通穴４０３において対向する両周縁部から３個ずつ、合計６個の突出部４０６１が設けられてもよい。かかる場合、平坦部４０６２は、一方の３個の突出部４０６１と他方の３個の突出部４０６１との間に架設される。
【０１０８】
液晶テレビ１によれば、画面４１１における光の均一性は損なわれない。
ねじ５、７の締結により、導光板４３が前側を押圧する力は、ブリッジ４０６の平坦部４０６２に作用するが、光学シート４２にはほとんど作用しない。そのため、光学シート４２に撓み、反り等の変形は生じない。光学シート４２は、導光板４３から出射された光を均一に拡散し、液晶パネル４１に拡散した光を入射させるので、液晶パネル４１の画面４１１に表示される画像に輝度ムラは生じない。
【０１０９】
実施の形態２は以上の如きであり、その他は実施の形態１と同様であるので、対応する部分には同一の参照番号を付してその詳細な説明、作用及び効果を省略する。
【０１１０】
以上、液晶テレビ１を例に挙げて、本願に係る液晶表示装置を説明した。本願に係る液晶表示装置は、例えばパーソナルコンピュータ、サーバコンピュータ等に接続して使用されるモニタ、デジタルサイネージに利用される室内ディスプレイ及び街頭ディスプレイに適用することも可能である。
【０１１１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１１２】
１        液晶テレビ
２        フロントキャビネット
２１      開口
２２      第一リブ
２２ａ    第一主リブ
２２ｂ    第一副リブ
２３      第二リブ
２３ａ    第二主リブ
２３ｂ    第二副リブ
２４      仕切りリブ
２４ａ    仕切り本体リブ
２４ｂ    仕切り補強リブ
３        バックキャビネット
３１      当接リブ
３２      凹部
３３      凸部
３４      放熱孔
３４０    放熱孔部
４        液晶パネルモジュール
４ａ      スペーサ
４ｂ      スペーサ
４０      放電防止枠（枠体）
４０１    屈曲部
４０２    屈曲部
４０３    第一リブ挿通穴（第一挿通穴）
４０４    第二リブ挿通穴（第二挿通穴）
４０５    仕切りリブ挿通穴
４０６    ブリッジ（支持部）
４０６１  突出部
４０６２  平坦部
４１      液晶パネル
４１１    画面
４２      光学シート
４２１    切欠き部
４３      導光板
４３１    凹部
４４      反射シート
４４１    切欠き部
４５      バックライトシャーシ（蓋部）
４５１    開口部
４５２    段部
４５３    皿状部
４５３ａ  段部
４６      ヒートシンク
４７      ＬＥＤ基板
４８      ＬＥＤ（光源）
４９      コネクタ
５        ねじ
６        電源コード
７        ねじ
Ｔ        受信部
Ｐ        電源基板
Ｓ        スタンド
【図１】
0005416851.tif 000002
【図２】
0005416851.tif 000003
【図３】
0005416851.tif 000004
【図４】
0005416851.tif 000005
【図５】
0005416851.tif 000006
【図６】
0005416851.tif 000007
【図７】
0005416851.tif 000008
【図８】
0005416851.tif 000009
【図９】
0005416851.tif 000010
【図１０】
0005416851.tif 000011
【図１１】
0005416851.tif 000012
【図１２】
0005416851.tif 000013
【図１３】
0005416851.tif 000014
【図１４】
0005416851.tif 000015
【図１５】
0005416851.tif 000016
【図１６】
0005416851.tif 000017
【図１７】
0005416851.tif 000018
【図１８】
0005416851.tif 000019
【図１９】
0005416851.tif 000020
【図２０】
0005416851.tif 000021
【図２１】
0005416851.tif 000022
【図２２】
0005416851.tif 000023